(57)【要約】      （修正有）【課題】脳神経外科におけるマイクロ手術のように高度な安定性と正確性が求められる外科手術において、手ぶれを生じにくい医療用剪刀を提供する。【解決手段】下刃１２とホルダー５１を有する固定アーム２１と、上刃１１とサム５２を有する可動アーム２２を有する医療用剪刀であって、上刃と下刃は支点１３において回動可能に交差して組み合わされ、かつ、可動アームと固定アームとが弾性力を有するリング状のスプリング６０を介して接続されている。【選択図】図１
0003226140.tif 000002
【実用新案登録請求の範囲】
【請求項１】
ホルダーを有する固定アームと、サムを有する可動アームと、リングスプリングと、スラースプリングとを有する医療器具であって、
可動アームと固定アームは支点において回動可能に交差して組み合わされ、かつ、可動アームと固定アームとが弾性力を有するリングスプリングを介して接続されている、医療器具。
【請求項２】
請求項１に記載の医療器具は医療用剪刀であり、固定アームおよび可動アームのリングスプリングに接続していない方の端部は刃を有する、医療用剪刀。
【請求項３】
脳神経外科手術用、眼科手術用、心臓血管外科手術用、形成外科手術用、耳鼻咽喉科手術用の剪刀である、請求項２に記載の医療用剪刀。
【請求項４】
請求項１に記載の医療器具は鉗子であり、固定アームおよび可動アームのリングスプリングに接続していない方の端部は顎部を有する、鉗子。
【請求項５】
固定アームのホルダーを人差し指で固定するように把持し、可動アームのサムに親指で力を加えることにより、固定アームを動かすことなく、可動アームに備えられた上刃部を開閉させて、組織を切断することができる、請求項２〜３のいずれかに記載の医療用剪刀。
【考案の詳細な説明】
【技術分野】
【０００１】
本考案は、医療器具、特に脳神経外科手術等に好適な医療用剪刀に関する。
【背景技術】
【０００２】
剪刀は、通常２枚の刃物を回転可能な軸を通し、刃部を擦り合わせ、対象物を刃の間に置き、刃を閉じることにより対象物を切断するものである。刃元から刃先まで１点が確実に擦り合う構造をつくりあげ、擦り合う部分で間に挟んだものを切断可能としている。 大きなものも小さなものも、この仕組みは変わらない。
【０００３】
医療用剪刀は、手術の対象部位によって構造、材料、寸法が様々である。今日、脳外科手術等においては手術用顕微鏡を用いたマイクロ手術が広く行われている。脳外科手術等に使用される剪刀は小型であり、画像を監視しながら施術するために、鉛筆を持つように把持を行うのが一般的である。
【０００４】
しかしながら、手術野が拡大される顕微鏡下の手術操作においては、術者に生じる、微細な運動の手ぶれが大きな問題となる。肉眼レベルの手術では問題にならないような些細なぶれ等であっても、手術野が拡大される顕微鏡下では手術の安定性と正確性に大きく影響する。手術用剪刀の操作は、親指と人差し指で一対の把持部に均等の力を加えて刃の開閉を行う必要があり、術者が熟練していない場合、手ぶれによって刃の位置や方向がぶれて、正確な切断を行えないおそれがあった。
【０００５】
例えば、特開２０１８−９９３０６号の図１に記載の医療用剪刀は、一対の棒状部材の一方の各先端が上刃および下刃を形成し、一対の棒状部材の各他端が把持部を形成している。そして一対の把持部に両側から力を加えて把持部を開閉することにより、柄部が交差する支点を中心に上刃および下刃が開閉する。しかし、この従来の医療用剪刀の使用状況では、一対の把持部の両方を動かす必要があるため、手ぶれが生じやすく、手術の正確性と安全性が低下するおそれがあった。
【先行技術文献】
【特許文献】
【０００６】
【特許文献１】特開２０１８−９９３０６
【考案の概要】
【考案が解決しようとする課題】
【０００７】
そこで、考案者は、一方の把持部を動かさずに固定し、もう一方の把持部だけに力を加えることによって組織を切断できる、ぶれの少ない手術用剪刀を創作した。
【課題を解決するための手段】
【０００８】
本考案は、上記の問題を解決するために、以下の考案を提供するものである。
（１）ホルダーを有する固定アームと、サムを有する可動アームと、リングスプリングと、スラースプリングとを有する医療器具であって、
可動アームと固定アームは支点において回動可能に交差して組み合わされ、かつ、可動アームと固定アームとが弾性力を有するリングスプリングを介して接続されている、医療器具。
（２）（１）に記載の医療器具は医療用剪刀であり、固定アームおよび可動アームのリングスプリングに接続していない方の端部は刃を有する、医療用剪刀。
（３）脳神経外科手術用、眼科手術用、心臓血管外科手術用、形成外科手術用、耳鼻咽喉科手術用の剪刀である、上記（２）に記載の医療用剪刀。
（４）（１）に記載の医療器具は鉗子であり、固定アームおよび可動アームのリングスプリングに接続していない方の端部は顎部を有する、鉗子。
（５）固定アームのホルダーを人差し指で固定するように把持し、可動アームのサムに親指で力を加えることにより、固定アームを動かすことなく、可動アームに備えられた上刃部を開閉させ、組織を切断することができる、上記２）〜（３）いずれかに記載の医療用剪刀。
【考案の効果】
【０００９】
本考案によれば、特に顕微鏡下で行う手術において、手ぶれの発生を防ぎ、正確で安定した組織の切断を行うことができる剪刀を提供することができる。
【図面の簡単な説明】
【００１０】
【図１】本考案の医療用剪刀の実施態様例を示す図。
【考案を実施するための形態】
【００１１】
以下、本考案の実施形態を図に基づいて説明する。
図１は本考案の医療用剪刀の実施態様例を示す図である。
【００１２】
図１に示す本考案の医療用剪刀は、下刃１２とホルダー５１を有する固定アーム２１と、上刃１１とサム５２を有する可動アーム２２を有し、上刃１１と下刃１２は支点１３において回動可能に交差して組み合わされ、かつ、可動アーム２２と固定アーム２１とが弾性力を有するリングスプリング６０を介して接続されている、医療用剪刀である。さらに、本考案の医療用剪刀は、可動アームの中ほどと固定アームのアングル２３に接続し、弾性力を有する素材で構成されるスラースプリング７０を備えている。スラースプリングは、直線またはゆるやかな曲線を示す線状のスプリングである。
【００１３】
本考案の医療用剪刀は、ペンホールド式に把持して用いる。具体的には、ホルダー５１に人差し指を添え、サム５２に親指を添えるように把持する。ホルダー５１およびサム５２は、凹凸部を設けることにより、持ちやすく滑りにくい構造にすることができる。図１に示したホルダー５１およびサム５２の形状はその一例であり、ホルダー５１およびサム５２の形状は図示のものに限定されない。図示のものに限定されない
【００１４】
本考案の医療用剪刀を使用する際には、人差し指をホルダー５１に添えて動かさず固定したまま、親指でサム５２に力を加えて、可動アーム２２を固定アーム２１に近づけることによって、上刃１１が下刃１２に向かって動く。同時に、可動アーム２２の動きに従って、可動アーム２２に接続したスラースプリング７０が固定アーム２１のアングル２３を押出し、下刃１２が上刃１１に向かって動く。このようにして２つの刃が両側から閉じることにより、組織を切断することができる。この時固定アーム２１は、アングル２３から下刃１２の部分のみが動作し、人差し指を添えているホルダー５１の付近は動かないため、ぶれやずれが生じにくい。その後、サム５２に加えた力を弱めると、可動アーム２２はリングスプリング６０およびスラースプリング７０の弾性力で元の位置に復帰する。
【００１５】
本考案の医療用剪刀の好適な実施態様例として、固定アーム２１および可動アーム２２は弾性を有する素材で構成することができる。
【００１６】
本考案の別の実施形態として、可動アームおよび固定アームの端部に刃の代わりに顎部を備えた鉗子が挙げられる。
【産業上の利用可能性】
【００１７】
本考案は、外科手術における組織の切断等の医療用途に好適に使用される。特に、脳神経外科手術、眼科手術、心臓血管外科手術、形成外科手術、耳鼻咽喉科手術において、手術用顕微鏡を用いたマイクロ手術を行う際に好適に使用される。さらに、本考案の医療器具は、手術用剪刀に限らず、同様の構造の把持部を有する手術用鉗子として使用することも可能である。
【符号の説明】
【００１８】
１１  上刃
１２  下刃
１３  支点
２１  固定アーム
２２  可動アーム
２３  アングル
５１  ホルダー
５２  サム
６０  リングスプリング
７０  スラースプリング
【図１】
0003226140.tif 000003
【手続補正書】
【提出日】令和2年2月27日(2020.2.27)
【手続補正１】
【補正対象書類名】実用新案登録請求の範囲
【補正対象項目名】全文
【補正方法】変更
【補正の内容】
【実用新案登録請求の範囲】
【請求項１】
ホルダーを有する固定アームと、サムを有する可動アームと、リングスプリングと、スラースプリングとを有する医療器具であって、
可動アームと固定アームは支点において回動可能に交差して組み合わされ、かつ、可動アームと固定アームとが弾性力を有するリングスプリングを介して接続されている、医療器具。
【請求項２】
請求項１に記載の医療器具は医療用剪刀であり、固定アームおよび可動アームのリングスプリングに接続していない方の端部は刃を有する、医療用剪刀。
【請求項３】
脳神経外科手術用、眼科手術用、心臓血管外科手術用、形成外科手術用、耳鼻咽喉科手術用の剪刀である、請求項２に記載の医療用剪刀。
【請求項４】
請求項１に記載の医療器具は鉗子であり、固定アームおよび可動アームのリングスプリングに接続していない方の端部は顎部を有する、鉗子。